(57)【要約】【課題】本発明は、洗濯装置に係り、より具体的には、スチームを発生させて使用可能な洗濯装置及びその制御方法に関する。【解決手段】本発明の一実施例によれば、タブ、タブ内に回転可能に備えられ、洗濯布が収容されるドラム、タブに備えられて洗濯水を加熱する洗濯ヒータ、外部給水源から、ドラムに洗濯水を供給する第１洗濯水流路、外部給水源から、ドラムの内部を経ずに、タブの内部に直接洗濯水を供給する第２洗濯水流路、選択されたコースに応じて、第１洗濯水流路と第２洗濯水流路を択一的に開放するように制御する制御部を含む洗濯装置を提供することができる。【選択図】図３
2014151188.tif 000002
【特許請求の範囲】
【請求項１】
タブと、
前記タブ内に回転可能に備えられ、洗濯布が収容されるドラムと、
前記タブに備えられ、洗濯水を加熱するための、そしてスチームを発生させるための洗濯ヒータと、
外部給水源から、前記ドラムに洗濯水を供給する第１洗濯水流路と、
前記外部給水源から、前記ドラムの内部を経ずに、前記タブの内部に直接洗濯水を供給する第２洗濯水流路と、
コースに応じて、前記第１洗濯水流路と第２洗濯水流路を択一的に開放するように制御する制御部と、を含む、洗濯装置。
【請求項２】
前記第２洗濯水流路は、前記タブと前記ドラムとの間に形成された流路を通じて、前記タブに洗濯水を供給する流路であることを特徴とする、請求項１に記載の洗濯装置。
【請求項３】
前記第２洗濯水流路を通じて、洗濯水が前記ドラムの外部から前記タブの内側面に沿って前記タブの下部に供給されることを特徴とする、請求項１に記載の洗濯装置。
【請求項４】
前記タブの後側上部に備えられ、前記第２洗濯水流路と連結される後方給水口を含むことを特徴とする、請求項１ないし３のいずれか一項に記載の洗濯装置。
【請求項５】
前記後方給水口は、給水される洗濯水が前記ドラムの外部から前記タブの内側後面に沿って前記タブの下部に供給されるように形成されることを特徴とする、請求項４に記載の洗濯装置。
【請求項６】
複数個の洗濯コースのいずれか一つを選択するように備えられるコース選択部を含むことを特徴とする、請求項１ないし５のいずれか一項に記載の洗濯装置。
【請求項７】
前記複数個の洗濯コースは、スチーム段階が行われる洗いコース（スチームコース）及び／又はスチーム段階が排除される洗いコース（スチーム排除コース）を含むことを特徴とする、請求項６に記載の洗濯装置。
【請求項８】
前記制御部は、
前記スチーム排除コースが選択されると、前記第１洗濯水流路を通じて前記タブの内部に洗濯水が給水されるように制御し、
前記スチームコースが選択されると、前記第２洗濯水流路を通じて前記タブの内部に洗濯水が給水されるように制御することを特徴とする、請求項７に記載の洗濯装置。
【請求項９】
前記スチームコースは、
スチーム段階、及び洗濯水を通じた水洗いが行われる本洗い段階を含むスチーム洗いコースと、
スチーム段階を含み、前記本洗い段階が排除されて、スチームを通じて洗濯物をリフレッシュさせるリフレッシュコースとのうち少なくともいずれか一つを含むことを特徴とする、請求項７に記載の洗濯装置。
【請求項１０】
前記制御部は、前記リフレッシュコースが選択されると、前記第２洗濯水流路を通じて前記タブの内部に洗濯水が給水されるように制御することを特徴とする、請求項９に記載の洗濯装置。
【請求項１１】
前記制御部は、前記スチーム洗いコースのスチーム段階を行うために、前記第１洗濯水流路を通じて前記ドラムの内部に洗濯水が給水されるように制御することを特徴とする、請求項９に記載の洗濯装置。
【請求項１２】
前記複数個の洗濯コースは、前記リフレッシュコースを含み、
前記リフレッシュコースは、
給水の終了後、洗濯水を加熱してドラムの内部にスチームを供給するスチーム段階と、
前記スチーム段階の後に、前記ドラムを駆動して前記洗濯布をリフレッシュするリフレッシュ段階とを含み、
前記制御部は、前記リフレッシュコースが選択されると、前記スチーム段階とリフレッシュ段階が順次行われるように制御することを特徴とする、請求項６に記載の洗濯装置。
【請求項１３】
前記制御部は、
前記リフレッシュ段階において、前記ドラムの回転によりドラム内部の洗濯布が落下するタンブリング駆動区間と、前記ドラムの高速回転によりドラム内部の洗濯布がドラムの内面に密着して前記ドラムと共に回転するスピン駆動区間とが交互に行われるように制御することを特徴とする、請求項１２に記載の洗濯装置。
【請求項１４】
前記制御部は、前記リフレッシュ段階の終了後、前記第２洗濯水流路を通じて前記タブの内部に、予め設定された再給水水位まで洗濯水が給水されるように制御することを特徴とする、請求項１２に記載の洗濯装置。
【請求項１５】
前記再給水水位は、スチーム段階のためのスチーム水位よりは高く、前記ドラムの底面よりは低い水位であることを特徴とする、請求項１４に記載の洗濯装置。
【請求項１６】
前記スチーム段階において、前記ヒータの駆動時点から、前記ヒータの駆動が連続的に行われて停止するまでの時間区間は可変され、前記洗濯ヒータの容量及び前記スチーム水位での洗濯水の量を考慮して、前記時間区間の最大許容値は予め設定されることを特徴とする、請求項１ないし５のいずれか一項に記載の洗濯装置。
【請求項１７】
前記第１洗濯水流路は、洗濯ボックスを経て前記ドラムに洗濯水を供給することを特徴とする、請求項１に記載の洗濯装置。
【請求項１８】
前記第１洗濯水流路と前記第２洗濯水流路を選択的に開閉する弁を含むことを特徴とする、請求項１に記載の洗濯装置。
【請求項１９】
前記第１洗濯水流路を開閉する第１給水弁、及び前記第２洗濯水流路を開閉する第２給水弁を含むことを特徴とする、請求項１に記載の洗濯装置。
【請求項２０】
前記第１給水弁と前記第２給水弁は別個に備えられることを特徴とする、請求項１９に記載の洗濯装置。
【発明の詳細な説明】
【技術分野】
【０００１】
本発明は、洗濯装置に係り、より具体的には、スチームを発生させて使用可能な洗濯装置及びその制御方法に関する。
【背景技術】
【０００２】
洗濯装置は、洗濯機及び乾燥機を含むことができる。洗濯機は、洗濯水と洗剤を用いて洗濯布から汚れを分離するための装置のことを意味する。洗濯水に溶解した洗剤を通じた化学的作用を用いて汚れを分離することができ、洗濯水の機械的作用または内槽（ドラム）の駆動による機械的作用によって汚れを分離することができる。
【０００３】
乾燥機は、洗濯布を乾燥させるための装置のことを意味する。すなわち、洗濯布に乾燥熱風を供給して洗濯布を乾燥させるための装置を意味する。
【０００４】
洗濯装置は、洗濯と乾燥を全て行うことができる洗濯兼乾燥機を含む。洗濯兼乾燥機も同様に、洗濯水と洗剤を用いて洗濯を行うことができる。したがって、洗濯兼乾燥機も洗濯機に含まれる。
【０００５】
一般に、洗濯装置は、洗濯布が収容されるドラムが水平軸を基準に駆動されて洗濯が行われる水平軸洗濯装置を含む。このような水平軸洗濯装置は、ドラムの駆動を通じて洗濯布に機械的なエネルギーを加えて汚れを分離する。
【０００６】
水平軸洗濯機の洗濯環境は、洗濯布が完全に洗濯水に浸からない状態といえる。したがって、機械的作用のほとんどは洗濯布間の摩擦、洗濯布とドラムとの摩擦、洗濯布に加えられる衝撃力などを通じて洗濯が行われるといえる。勿論、この場合にも、洗剤による化学的作用を通じて洗濯が行われるといえる。
【０００７】
洗濯装置は、洗濯布が収容される内槽が垂直軸を基準に回転したり、内槽内のパルセーターが回転して洗濯が行われる垂直軸洗濯装置を含む。垂直軸洗濯装置も同様に、内槽またはパルセーターの駆動を通じて、洗濯布に機械的なエネルギーを加えて汚れを分離する。
【０００８】
垂直軸洗濯機の洗濯環境は、洗濯布が完全に洗濯水に浸かることができる状態と言える。したがって、機械的作用はほとんど水勢と洗濯布との間の摩擦や衝撃力などを通じて発生し、このような機械的作用によって洗濯が行われるといえる。同様に、この場合にも、洗剤による化学的作用を通じて洗濯が行われるといえる。
【０００９】
したがって、垂直軸洗濯機と水平軸洗濯機は、使用する洗濯水の量と洗濯メカニズムにおいて大きな差があるといえる。
【００１０】
このような差にも関わらず、水平軸洗濯機と垂直軸洗濯機は、いずれも、洗濯水を加熱するための洗濯ヒータを含むことができる。洗濯水の加熱は、洗剤の活性化を促進して洗濯効果を高め、高温を通じて殺菌効果を高めるために行うことができる。したがって、洗濯ヒータを駆動して洗濯水の温度を設定温度まで高めることは一般的な事項といえる。すなわち、洗濯水の水温を上昇させて洗濯効果を高めることは一般的な事項といえる。
【００１１】
最近は、エネルギー消耗を減らすと共に高温の洗濯環境を作るために、スチームを供給することができる洗濯機が多く普及している。すなわち、スチームを発生させた後、ドラムの内部に供給して、洗濯環境を高温多湿にして、洗濯効果を高めることができる洗濯装置が普及している。洗濯装置は、水洗いと共にスチームを用いるスチーム洗いコースを通じて、洗濯効果を高めるといえる。
【００１２】
しかし、このような洗濯装置は、別途のスチーム発生器を備えるため、コストの上昇と制御の困難が伴う。スチーム発生器は、一般的な洗濯ヒータとは別途に、スチームを発生させるためのスチームヒータを有しているからである。このような理由で、別途のスチーム発生器を排除し、洗濯ヒータを用いる洗濯装置が試みられている。
【００１３】
スチームは沸騰点以上に水を加熱して生成することができる。したがって、別途のスチーム発生器を有する洗濯装置は、水を沸騰点以上に加熱してスチームを発生させて、これを用いる洗濯装置といえる。また、スチームは沸騰点未満に水を加熱して生成することもできる。したがって、別途のスチーム発生器が排除され、洗濯ヒータを有する洗濯装置は、水を沸騰点未満に加熱してスチームを発生させて、これを用いる洗濯装置といえる。
【００１４】
洗濯ヒータを用いてスチームを発生させる洗濯装置では、タブの内部でスチームが発生する。すなわち、相対的に大きい空間でスチームが発生することができる。したがって、洗濯ヒータを通じて沸騰点未満に水を加熱してスチームを発生させることが一般的である。
【００１５】
また、洗濯ヒータを用いてスチームを発生させる洗濯装置では、構造的な限界によって、主に水洗いの時にスチームを使用するようになる。
【００１６】
スチームは、水洗いにおいて洗濯効果の増進のために使用することができ、洗濯布のリフレッシュのために使用することができる。特に、乾燥機のような洗濯装置でリフレッシュコースを提供することができる。
【００１７】
乾燥機でのスチームは、洗濯効果の増進よりは、シワ除去、臭い除去などのように洗濯布をリフレッシュするために使用されるといえる。
【００１８】
以下では、図１及び図２を参照して、従来の一般的な洗濯装置について説明する。
【００１９】
洗濯装置は、外形をなすキャビネット１０、及びキャビネットの内部に備えられるタブ２０を含むことができる。タブ２０は、洗濯水を収容するように備えることができる。
【００２０】
タブ２０には、洗濯水を加熱できる洗濯ヒータ６０を備えることができる。重力によって、洗濯水はタブ２０の底面から水位が次第に上昇する。したがって、洗濯ヒータ６０は、タブの最も低い部分に位置することが好ましい。
【００２１】
タブ２０内にはドラム３０が備えられる。ドラム３０は、タブ２０内に回転可能に備えられる。ドラム３０の内部に洗濯布が収容され、駆動装置７１，７２を通じて、ドラム３０を駆動することができる。このようなドラム３０の駆動を通じて、洗濯が行われるといえる。
【００２２】
駆動装置はモータ７１を含むことができる。モータ７１の駆動を直接ドラム３０の駆動に転換することができる。このような構造を一般的に直結式モータ構造と呼ぶ。しかし、図示のように、モータ７１の回転がプーリー７２を通じてドラム３０の駆動に転換されてもよい。
【００２３】
ドラム３０の駆動などによって、タブ２０に振動が伝達され得る。したがって、タブ２０は、キャビネット１０に対してダンパー２１などを通じて支持することができる。
【００２４】
ドラム３０の前方にはドア４０を備え、ドア４０の後方にはガスケット５０を備えることができる。ガスケット５０は、キャビネット１０及びタブ２０と連結され得る。したがって、タブ２０の前方は、ガスケット５０を通じてキャビネット１０に弾性支持されるといえる。
【００２５】
洗濯を行うためには、まず、洗濯水を給水しなければならない。したがって、外部給水源から洗濯装置の内部に洗濯水を給水するための給水手段８０が備えられる。
【００２６】
給水手段８０は、選択的に開閉される給水弁８１、及び洗濯水流路８２を含むことができる。洗濯水流路８２は、洗剤を収容する洗剤ボックス８３と連結することができる。そして、洗剤ボックス８３は供給流路８４と連結することができる。
【００２７】
したがって、給水弁８１が開放されると、外部の水が洗濯水流路８２、洗剤ボックス８３、そして供給流路８４を経てドラム３０の内部に供給され得る。
【００２８】
具体的に、供給流路８４は、ガスケット５０を貫通するように備えることができる。したがって、供給流路８４を通じて供給される洗濯水と洗剤はほとんどドラム３０の内部に供給することができる。
【００２９】
図２に示すように、ドラム３０には複数個の通孔３１が備えられる。通孔３１を通じて、ドラム３０の内部はタブ２０の内部と互いに連通することができる。
【００３０】
そして、タブ２０の下部にはヒータ装着溝２２を形成することができる。ヒータ装着溝２２はタブ２０の最下部に備えることができる。ヒータ装着溝２２に洗濯ヒータ６０が装着されるので、最小の水位でも洗濯ヒータ６０が常に洗濯水に浸かるようにすることができる。
【００３１】
ヒータ装着溝２２は、排水流路２３と連結されることが好ましい。したがって、タブ２０の内部の洗濯水は、ヒータ装着溝２２と排水流路２３を経て、洗濯装置の外部に排水可能である。
【００３２】
上述したように、洗濯ヒータ６０を用いてスチームを発生させることは、水洗いを前提とすることが一般的である。これは、図１及び図２に示された洗濯装置の構造的な特徴からでもわかる。
【００３３】
具体的に、洗濯のための洗濯水と洗剤はドラム３０の内部に供給される。すなわち、給水が行われると、洗濯水と洗剤はドラム３０の内部に収容される洗濯布を濡らすようになる。そして、一部の洗濯水と洗剤はドラム３の通孔３１を通じてタブ２０の下部から溜まるようになる。
【００３４】
給水が続くと、洗濯水の水位は次第に上昇するようになり、このような給水は設定水位まで進行する。
【００３５】
特に、水平軸洗濯機の場合、垂直軸洗濯機とは異なり、設定水位が相対的に低い。言い換えると、洗濯布が完全に洗濯水に浸からない状態で洗濯が行われる。したがって、洗濯布を速く濡らすために、洗濯水と洗剤が洗濯布に直接供給されるようにする構造が一般的である。
【００３６】
そのため、洗濯ヒータを用いてスチームを発生させるためには、常にドラムの内部を通じて水が供給されなければならないという問題がある。すなわち、必然的に洗濯水の供給はドラムの内部に収容される洗濯布の少なくとも一部を濡らさなければならないという問題がある。
【００３７】
したがって、スチームの使用は、水洗いを前提とせざるを得ないため、スチームを多様に利用するのに困難がある。具体的には、リフレッシュのためにのみスチームを利用するのに多くの問題がある。このような構造的な問題によって、リフレッシュされる洗濯布の含湿量が非常に高いため、リフレッシュの後にも別途の乾燥過程が伴わなければならないからである。
【００３８】
一方、従来の洗濯装置でのリフレッシュは、単純に洗濯布にスチームを用いて水分を供給する水準にとどまっていた。すなわち、洗濯布に全体的で且つ均一にスチームを供給するために、ドラムをタンブリングさせる水準にとどまっている。したがって、スチームの発生と供給構造、スチームの温度、そしてドラムの駆動の間での最適の関係を導出して、より効果的なリフレッシュを行うことができる方案を設ける必要がある。
【００３９】
さらに、リフレッシュの終了後に後続しなければならない乾燥過程をできる限り減らすことができる、リフレッシュが可能な洗濯装置を提供する必要がある。すなわち、乾燥機を通じた乾燥や自然乾燥を必要とせず、リフレッシュの終了後、不便さや不快感のない状態で、直ちにリフレッシュされた衣類を着用できる洗濯装置を提供する必要がある。
【発明の概要】
【発明が解決しようとする課題】
【００４０】
本発明は、基本的に、前述した従来の洗濯装置の問題を解決することを目的とする。
【００４１】
本発明の実施例を通じて、選択されるコースに応じて洗濯水の供給位置を異なるように制御して、選択されるコースに応じて最適の位置で洗濯水を供給することができる洗濯装置及びその制御方法を提供しようとする。
【００４２】
本発明の実施例を通じて、スチームを用いた洗濯効果の増進だけでなく、スチームを用いたリフレッシュが可能な洗濯装置及びその制御方法を提供しようとする。
【００４３】
本発明の実施例を通じて、洗濯ヒータを用いて効果的なスチームの発生及び供給が可能な洗濯装置及びその制御方法を提供しようとする。
【００４４】
本発明の実施例を通じて、洗濯ヒータを用いて、スチーム段階とは別途の洗濯水ヒーティング段階を行うことができる洗濯装置及びその制御方法を提供しようとする。
【００４５】
本発明の実施例を通じて、洗濯水の給水を通じた強制冷却をより効果的に行うことができる洗濯装置及びその制御方法を提供しようとする。
【００４６】
本発明の実施例を通じて、シワ除去効果及び臭い除去効果を著しく増進させることができる洗濯装置及びその制御方法を提供しようとする。
【００４７】
本発明の実施例を通じて、安全で且つ信頼性が増進した洗濯装置及びその制御方法を提供しようとする。
【００４８】
本発明の実施例を通じて、リフレッシュの終了後、別途の乾燥過程を省略し、リフレッシュされた衣類を直ちに着用できる程度にリフレッシュ性能が具現される洗濯装置及びその制御方法を提供しようとする。
【課題を解決するための手段】
【００４９】
前述した目的を具現するために、本発明の一実施例によれば、タブと、前記タブ内に回転可能に備えられ、洗濯布が収容されるドラムと、前記タブに備えられて洗濯水を加熱する洗濯ヒータと、外部給水源から、前記ドラムに洗濯水を供給する第１洗濯水流路と、外部給水源から、前記ドラムの内部を経ずに、前記タブの内部に直接洗濯水を供給する第２洗濯水流路と、コースに応じて、前記第１洗濯水流路と第２洗濯水流路を択一的に開放するように制御する制御部とを含む洗濯装置を提供することができる。前記制御部は、使用者が選択したコースに応じて、前記第１洗濯水流路と第２洗濯水流路を制御する。
【００５０】
前記第１洗濯水流路は、洗剤ボックスを経て前記ドラムに洗濯水を供給することができる。そして、前記洗濯装置は、複数個の洗濯コースのいずれか一つを選択するように備えられるコース選択部を含むことができる。したがって、前記制御部は、前記コース選択部を通じて選択されたコースに応じて、前記第１洗濯水流路と第２洗濯水流路を択一的に開放するように制御することが好ましい。
【００５１】
前記洗濯ヒータは、タブの下部に備えることができる。具体的には、タブの下部に備えられる凹部内に備えることができる。
【００５２】
前記第１洗濯水流路は、洗濯物を濡らすために洗濯水を供給するように備えることができる。すなわち、洗濯水を用いて洗濯する洗濯コースのための給水流路であってもよい。前記第２洗濯水流路は、スチームの発生または冷却のために洗濯水を供給するように備えることができる。すなわち、スチーム段階または冷却段階を有する洗濯コースのための給水流路であってもよい。前記第２洗濯水流路は、洗濯水を通じた洗濯が排除されるリフレッシュコースなどで洗濯水を供給するように備えることができる。したがって、供給される洗濯水が洗濯物を直接濡らさないようにすることが好ましい。
【００５３】
また、前記第２洗濯水流路は、きれいな水または純粋な水を供給するように備えることができる。例えば、洗剤ボックスを経ずに、タブに洗濯水を供給するように備えることができる。したがって、スチームの発生または冷却のために、洗剤が混じっていない純粋な水を供給することができる。これを通じて、洗剤カスなどがスチームの発生や冷却効率を低下することを防止することができる。
【００５４】
前記第１洗濯水流路を開閉する第１給水弁と、前記第２洗濯水流路を開閉する第２給水弁とを含み、前記第１給水弁と前記第２給水弁は別個に備えることが好ましい。言い換えると、前記第１洗濯水流路と第２洗濯水流路は互いに異なる位置に洗濯水を供給するように備えることができる。勿論、同一の外部給水源から洗濯水が供給されるように備えることができる。
【００５５】
これとは異なり、複数個の流路を選択的に開閉する単一の弁を通じて、第１洗濯水流路と第２洗濯水流路の開閉を行うことができる。一例として、３方弁を用いることができる。
【００５６】
前記第２洗濯水流路は、前記タブと前記ドラムとの間に形成された流路を通じて前記タブに洗濯水を供給する流路であることが好ましい。すなわち、タブとドラムとの間の空間を通じてタブに洗濯水を供給することが好ましい。具体的に、前記第２洗濯水流路を通じて、洗濯水が前記ドラムの外部から前記タブの内側面に沿って前記タブの下部に供給されることが好ましい。すなわち、タブの内部、及びドラムの外部から前記タブの下部に洗濯水が供給されることが好ましい。
【００５７】
前記タブの上部に備えられ、前記第２洗濯水流路と連結される給水口を含むことができる。前記第２洗濯水流路は、前記給水口を含むことができる。好ましくは、前記タブの後部上側に備えられ、前記第２洗濯水流路と連結される後方給水口を含むことができる。前記後方給水口は、前記タブの後部上側の外周に前記タブの内側後面に対応して形成され得る。したがって、タブの内部で落下する時間の間に冷却が効果的に行われるようにすることができる。
【００５８】
また、前記給水口は、前記タブの内側後面に隣接して、前記タブの内周面に沿って水が流れるように給水するように備えることができる。
【００５９】
より具体的には、前記後方給水口は、給水される洗濯水が前記ドラムの外部から前記タブの内側後面に沿って前記タブの下部に供給されるように形成することが好ましい。これを通じて、熱伝逹面積をさらに広げることで、効果的な冷却が可能となる。
【００６０】
前記複数個の洗濯コースは、スチーム段階が行われる洗いコース（スチームコース）とスチーム段階が排除される洗いコース（スチーム排除コース）とを含むことが好ましい。
【００６１】
前記制御部は、前記スチーム排除コースが選択されると、前記第１洗濯水流路または前記第１給水弁を通じて前記タブの内部に洗濯水が給水されるように制御することが好ましい。
【００６２】
前記制御部は、前記スチームコースが選択されると、前記第２洗濯水流路または前記第２給水弁を通じて前記タブの内部に洗濯水が給水されるように制御することが好ましい。
【００６３】
前記スチーム排除コースは、基本的に、洗濯水を洗濯布に供給して水洗いする本洗い段階を含むことが好ましい。
【００６４】
前記スチームコースは、スチーム段階及び洗濯水を通じた水洗いが行われる本洗い段階を含むスチーム洗いコースと、スチーム段階を含み、前記本洗い段階が排除されて、スチームを通じて洗濯物をリフレッシュさせるリフレッシュコースとを含むことができる。言い換えると、前記複数個の洗濯コースは、スチームが使用されずに、洗濯水のみが使用されるコース、及び／又は洗濯水とスチームが使用されるコース、及び／又は洗濯水が使用されないコースを含むことができる。洗濯水が使用されるということは、洗濯水により洗濯物が濡らされた状態で洗濯などが行われることを意味する。そして、洗濯水が使用されないということは、洗濯水により洗濯物が濡れていない状態でリフレッシュなどが行われることを意味する。
【００６５】
前記制御部は、前記リフレッシュコースが選択されると、前記第２洗濯水流路または第２給水弁を通じて前記タブの内部に洗濯水が給水されるように制御することができる。
【００６６】
前記制御部は、前記スチーム洗いコースのスチーム段階を行うために、前記第１洗濯水流路または第１給水弁を通じて前記ドラムの内部に洗濯水が給水されるように制御し、前記リフレッシュコースのスチーム段階を行うために、前記第２洗濯水流路または第２給水弁を通じて前記タブの内部に洗濯水が給水されるように制御することができる。すなわち、スチーム段階が含まれるスチームコースといっても、選択されたコースに応じて洗濯水の供給流路を異なるように制御することができる。
【００６７】
前記スチーム段階は、前記ドラムの内部にスチームを供給する段階であることが好ましい。これは、前記ドラムの底面より低い、予め設定されたスチーム水位で前記洗濯ヒータを駆動して行うことができる。すなわち、ドラム内部の洗濯布が洗濯水と接触していない状態で、そしてドラム内部の洗濯布が洗濯水に接触しないように洗濯ヒータを駆動する段階といえる。したがって、前記スチーム水位は、ドラムの底面よりも低い水位であることが好ましい。
【００６８】
前記スチーム水位は、前記洗濯ヒータが完全に浸かる水位であることが好ましい。
【００６９】
前記スチーム段階で、前記ヒータの駆動時点から、前記ヒータの駆動が連続的に行われて停止するまでの時間区間は可変され、前記洗濯ヒータの容量及び前記スチーム水位での洗濯水の量を考慮して、前記時間区間の最大許容値は予め設定することが好ましい。
【００７０】
前記時間区間は、予め設定された温度まで、連続的に前記洗濯ヒータが駆動される温度制御区間と、前記温度制御区間から予め設定された時間まで、連続的に前記洗濯ヒータが駆動される時間制御区間とを含むことができる。
【００７１】
前記温度制御区間での予め設定された温度は、摂氏９３度以上、摂氏９７度以下であることが好ましい。具体的に、前記予め設定された温度は、約摂氏９５度であってもよい。
【００７２】
前記リフレッシュコースは、給水の終了後、洗濯水を加熱してドラムの内部にスチームを供給するスチーム段階と、前記スチーム段階の後に、前記ドラムを駆動して前記洗濯布をリフレッシュするリフレッシュ段階とを含み、前記制御部は、前記リフレッシュコースが選択されると、前記スチーム段階とリフレッシュ段階が順次行われるように制御することが好ましい。
【００７３】
前記制御部は、前記リフレッシュ段階が、予め設定された時間の間に行われるように制御することができる。
【００７４】
前記制御部は、前記リフレッシュ段階において、前記ドラムのタンブリング駆動区間とスピン駆動（フィルトレーション）区間とが交互に行われるように制御することが好ましい。
【００７５】
前記制御部は、前記タンブリング駆動区間とスピン駆動区間とからなるドラム駆動サイクルが、複数回繰り返されるように制御することができる。
【００７６】
前記リフレッシュ段階において、前記タンブリング駆動区間に必要とされる時間は、前記スピン駆動区間に必要とされる時間よりも１０倍以上大きいことが好ましい。
【００７７】
前記制御部は、前記リフレッシュ段階の終了後、前記第２洗濯水流路または前記第２給水弁を通じて、前記タブの内部に、予め設定された再給水水位まで洗濯水が給水されるように制御することが好ましい。
【００７８】
前記再給水水位は、スチーム段階のためのスチーム水位よりは高く、前記ドラムの底面よりは低い水位であることが好ましい。
【００７９】
前記制御部は、前記スチーム段階において、前記ドラムがタンブリング駆動するように制御することが好ましい。
【００８０】
前述した目的を具現するために、本発明の一実施例によれば、前述したように、スチームを通じて洗濯物のシワを除去するリフレッシュコースを行う洗濯装置の制御方法を提供することができる。
【００８１】
前述した目的を具現するために、本発明の一実施例によれば、洗濯布にスチームを供給して、洗濯布のシワの除去または緩和のためのリフレッシュコースを行う洗濯機の制御方法において、外部給水源から、ドラムの内部を経ずに、スチーム発生のためのスチーム水位まで前記タブの内部に洗濯水を供給するスチーム給水段階と、タブに備えられる洗濯ヒータを駆動して前記洗濯水を加熱し、前記スチーム水位での洗濯水からスチームを発生させるスチーム段階と、前記スチーム段階の後に、洗濯布をリフレッシュするリフレッシュ段階とを含む洗濯機の制御方法を提供することができる。
【００８２】
前記洗濯ヒータは、前記タブの下部に備えることができる。すなわち、タブの下部としてタブの内部下部または外部下部に前記洗濯ヒータを備えることができる。
【００８３】
前記制御方法は、複数個の洗濯コースのいずれか一つが選択されるコース選択段階を含むことができる。前記複数個の洗濯コースは前記リフレッシュコースを含むことができる。前記コース選択段階で前記リフレッシュコースが選択されると、前記スチーム段階が行われる。
【００８４】
また、前記リフレッシュ段階は、前記ドラムのタンブリング駆動区間とスピン駆動区間が交互に行われる段階を含むことができる。このような交互に行われる段階は、スチーム段階の終了後に行うことができる。
【００８５】
前述した目的を具現するために、本発明の一実施例によれば、洗濯布にスチームを供給して、洗濯布のシワの除去または緩和のためのリフレッシュコースを行う洗濯機の制御方法において、複数個の洗濯コースのいずれか一つが選択されるコース選択段階と、前記コース選択段階で、前記リフレッシュコースが選択されると、外部給水源から、ドラムの内部を経ずに、スチーム発生のためのスチーム水位まで前記タブの内部に洗濯水を供給するスチーム給水段階と、タブの下部に備えられる洗濯ヒータを駆動して前記洗濯水を加熱し、前記スチーム水位での洗濯水からスチームを発生させるスチーム段階と、前記スチーム段階の後に、前記ドラムのタンブリング駆動区間とスピン駆動区間が行われて、洗濯布をリフレッシュするリフレッシュ段階とを含む洗濯機の制御方法を提供することができる。
【００８６】
前記タンブリング駆動区間とスピン駆動区間は交互に行うことができる。
【００８７】
前記複数個の洗濯コースは、本洗い水位まで洗濯水を供給して水洗いする洗濯が行われる水洗いコースを含むことができる。水洗いコースは、本洗い水位まで給水した後に、ヒーティング段階を行うことができるヒーティング可能コース、及び前記ヒーティング段階が排除されるヒーティング排除コースを含むことができる。
【００８８】
前記本洗い水位は、洗濯布の量（布量）及び選択される水洗いコースと関係なく、前記スチーム水位よりは常に高いことが好ましい。
【００８９】
前記本洗い水位までの給水は、外部給水源から、洗剤ボックスを経て前記ドラムの内部に供給されることであることが好ましい。
【００９０】
前記スチーム給水は、前記タブの後側上部に備えられる後方給水口を通じて行われることが好ましい。
【００９１】
前記スチーム段階において、前記ヒータの駆動時点から、前記ヒータの駆動が連続的に行われて停止するまでの時間区間は可変され、前記洗濯ヒータの容量及び前記スチーム水位での洗濯水の量を考慮して、前記時間区間の最大許容値は予め設定することが好ましい。
【００９２】
前記時間区間は、予め設定された温度まで、連続的に前記洗濯ヒータが駆動される温度制御区間と、前記温度制御区間から予め設定された時間まで、連続的に前記洗濯ヒータが駆動される時間制御区間とを含むことができる。ここで、前記時間制御区間での予め設定された時間は、最大に許容可能な最大許容値であってもよい。すなわち、最大に行うことができる時間が、予め設定された時間であってもよい。
【００９３】
したがって、スチーム段階での最大許容値が予め設定されるので、温度制御区間で必要とされる時間が長くなるにつれて、前記時間制御区間の所要時間は短くなり得る。
【００９４】
前記温度制御区間での予め設定された温度は、摂氏９３度以上、摂氏９７度以下であることが好ましい。前記予め設定された温度は、摂氏９５度であることが好ましい。
【００９５】
前記リフレッシュ段階は、予め設定された時間の間に行われることが好ましい。
【００９６】
前記タンブリング駆動区間とスピン駆動区間とからなるドラム駆動サイクルは、複数回繰り返されることが好ましい。
【００９７】
上記の実施例に対する具体的な特徴は互いに矛盾したり、排他的でない限り、他の実施例に複合的に具現可能である。
【発明の効果】
【００９８】
本発明の実施例を通じて、選択されるコースに応じて洗濯水の供給位置を異なるように制御して、選択されるコースに応じて最適の位置で洗濯水を供給できる洗濯装置及びその制御方法を提供することができる。
【００９９】
本発明の実施例を通じて、スチームを用いた洗濯効果の増進だけでなく、スチームを用いたリフレッシュが可能な洗濯装置及びその制御方法を提供することができる。
【０１００】
本発明の実施例を通じて、洗濯ヒータを用いて効果的なスチームの発生及び供給が可能な洗濯装置及びその制御方法を提供することができる。
【０１０１】
本発明の実施例を通じて、洗濯ヒータを用いて、スチーム段階とは別途の洗濯水ヒーティング段階を行うことができる洗濯装置及びその制御方法を提供することができる。
【０１０２】
本発明の実施例を通じて、洗濯水の給水を通じた強制冷却をより効果的に行うことができる洗濯装置及びその制御方法を提供することができる。
【０１０３】
本発明の実施例を通じて、シワ除去効果及び臭い除去効果を著しく増進させることができる洗濯装置及びその制御方法を提供することができる。
【０１０４】
本発明の実施例を通じて、安全で且つ信頼性が増進した洗濯装置及びその制御方法を提供することができる。
【０１０５】
本発明の実施例を通じて、リフレッシュの終了後、別途の乾燥過程を省略し、リフレッシュされた衣類を直ちに着用できる程度にリフレッシュ性能が具現される洗濯装置及びその制御方法を提供することができる。
【図面の簡単な説明】
【０１０６】
【図１】一般的な洗濯装置の簡略な側断面図である。
【図２】図１に示された洗濯装置の簡略な正断面図である。
【図３】本発明の一実施例に係る洗濯装置の簡略な側断面図である。
【図４】図２に示された洗濯装置の簡略な正断面図である。
【図５】本発明の一実施例に係る洗濯装置の簡略なブロック図である。
【図６】本発明の一実施例に係る洗濯装置のコントロールパネルの一例を示す正面図である。
【図７】本発明の一実施例に係る洗濯装置の制御フローの一例を示すフローチャート及び温度変化グラフである。
【図８】図７に示されたスチーム段階での温度変化グラフである。
【図９】図７に示されたリフレッシュ段階の終了後に選択的に行うことができる冷却段階での温度変化グラフである。
【発明を実施するための形態】
【０１０７】
以下では、添付の図面を参照して、本発明の実施例に係る洗濯装置及びその制御方法について詳細に説明する。
【０１０８】
まず、図３乃至図４を参照して、本発明の実施例に適用できる洗濯装置の一例について詳細に説明する。ここで、洗濯装置は水平軸洗濯装置の場合を示す。しかし、本実施例に係る洗濯機及びその制御方法は、必ず水平軸洗濯機に限定されるものではない。
【０１０９】
図３乃至図４に示されたように、本実施例に係る洗濯装置の基本的な構成は、従来の一般的な洗濯装置と同様であってもよい。基本的に、キャビネット１００、タブ２００、ドラム３００、ドア４００、ガスケット５００、洗濯ヒータ６００、駆動装置７１０，７２０のような構成は、従来の一般的な洗濯装置と同様であってもよい。
【０１１０】
さらに、本実施例に係る洗濯装置のダンパー２１０などのようなサスペンション構造も従来の洗濯装置と同様であってもよい。
【０１１１】
しかし、本実施例に係る洗濯装置は、第１洗濯水流路１５０と第２洗濯水流路１６０を含むことができる。第１洗濯水流路１５０と第２洗濯水流路１６０は別個に備えることができる。
【０１１２】
第１洗濯水流路１５０と第２洗濯水流路１６０は全て外部の給水源から洗濯水が供給されるように備えることができる。洗濯装置は、外部の給水源と連結された外部ホースを通じて洗濯水が供給され得る。したがって、外部から供給される洗濯水が、洗濯装置の内部で互いに異なる流路を通じて目標とする位置まで到達することができる。
【０１１３】
具体的に、第１洗濯水流路１５０と第２洗濯水流路１６０はタブ２００と連通することができる。したがって、結果的に、どの流路を通じて洗濯水が供給されても、洗濯水はタブ２００の下部から貯水され得る。しかし、このような供給経路の差によって、次のような差が生じうる。
【０１１４】
第１洗濯水流路１５０は、外部の給水源から、洗剤ボックス１５３を経てドラム３００に洗濯水を供給するように設けることができる。そのために、第１洗濯水流路１５０は第１給水弁１５１を含むことができる。そして、第１給水弁１５１と洗剤ボックス１５３を連通させる第１給水ホース１５２を含むことができる。
【０１１５】
第１給水弁１５１は、選択的に開閉されるように備えられる。したがって、第１給水弁１５１が開放されると、第１洗濯水流路１５０が開放されるといえる。したがって、第１給水弁１５１が開放されると、第１洗濯水流路１５０を通じて洗濯水を供給することができる。
【０１１６】
また、第１洗濯水流路１５０は、洗剤ボックス１５３とドラム３００の内部とを連通させる第１供給ホース１５４を含むことができる。第１供給ホース１５４は、ガスケット５００を貫通するように備えることができる。したがって、第１供給ホース１５４を通じて洗濯水を直接ドラムの内部に供給することができる。また、第１供給ホース１５４はドア４００の上部に位置するので、洗濯水はドラムの下面に収容される洗濯布の上部に落下するようになる。これを通じて、第１供給ホース１５４を通じて供給される洗濯水は洗濯布の少なくとも一部分を濡らすことになる。
【０１１７】
そして、ドラムの内部に供給された洗濯水は、図４に示されたドラムの通孔３１０を通じてタブの下部に流入することができる。
【０１１８】
結局、第１洗濯水流路１５０は、外部の給水源から、洗剤ボックス１５３を経てドラムに、より具体的には、ドラムの上部に、洗濯水を供給する流路といえる。勿論、第１洗濯水流路１５０は、ドラムの内部からドラムの通孔３１０を通じて、タブ２００の下部に洗濯水を供給する流路を含むことができる。
【０１１９】
このような第１洗濯水流路１５０を通じて、給水初期から洗濯布が濡らされる。したがって、速い布濡らしを通じて洗濯時間の短縮及び洗濯効果の増進を期待することができる。
【０１２０】
本実施例では、このような第１洗濯水流路１５０とは別個に第２洗濯水流路１６０を含むことが好ましい。すなわち、互いに異なる経路を有し洗濯水を供給する並列的な洗濯水流路が備えられることが好ましい。
【０１２１】
具体的に、第２洗濯水流路１６０は、外部の給水源から、ドラム３００の内部を経ることなく、タブ２００の内部に直接洗濯水を供給するように備えられることが好ましい。
【０１２２】
第２洗濯水流路１６０は、第２給水弁１６１を含んでなる。第２給水弁１６１は、選択的に開放されるように備えることができる。したがって、第２給水弁１６１を開放し、第２洗濯水流路１６０を開放して洗濯水を供給することができる。
【０１２３】
第２給水弁１６１は、第１給水弁１５１とは別個に備えることが好ましい。したがって、両者の制御は、互いに独立に行うことが可能となる。これは、両者の同時開放、そしていずれか一つのみを選択して開放することが可能であることを意味する。すなわち、第１洗濯水流路１５０と第２洗濯水流路１６０の択一的な開放が可能となる。
【０１２４】
第２洗濯水流路１６０は、第２供給ホース１６２を含んでなる。第２供給ホース１６２は第２給水弁１６１と連結されることで、第２給水弁１６１が開放されると、洗濯水をタブ２００に供給するようになる。
【０１２５】
ここで、第２供給ホース１６２がタブ２００と連通する位置は、第１供給ホース１５４がタブ３００またはドラム２００と連通する位置と異なることが好ましい。言い換えると、洗濯水を供給する位置が異なるように設けることが好ましい。
【０１２６】
具体的に、第２供給ホース１６２は、ドラム３００の内部に洗濯水が流入しないように、タブ２００と連通することが好ましい。言い換えると、供給される洗濯水がドラムの内部に収容される洗濯布に当たらないようにすることが好ましい。
【０１２７】
より具体的には、第２供給ホース１６２は後方給水口１６３と連通することが好ましい。したがって、第２洗濯水流路１６０は、後方給水口１６３を通じてタブ２００の内部に洗濯水を供給することができる。
【０１２８】
図３に示されたように、後方給水口１６３は、タブ２００の後方に位置することができる。具体的には、タブ２００の後方上側に備えることができる。このような後方給水口１６３は、ドラムの最後方よりもさらに後方に位置することが好ましい。
【０１２９】
したがって、後方給水口１６３を通じて給水される洗濯水は、ドラム３００の外部からタブ２００の内側に流入する。流入する洗濯水は、タブ２００の下側に貯水され得る。このような後方給水口１６３の位置によって、第２洗濯水流路１６０を通じて供給される洗濯水は、洗濯布を濡らすことなくタブの内部に供給され得る。
【０１３０】
一方、後方給水口１６３の位置及び形状は、タブ２００の後面に対応するように形成することが好ましい。言い換えると、後方給水口１６３を通じて供給される洗濯水は、タブ２００の後面に向かうようにすることが好ましい。そのために、後方給水口１６３は、タブ２００の後面のすぐ上側に備えることができる。
【０１３１】
また、後方給水口１６３を傾斜するように形成してもよい。すなわち、後方に傾斜するように形成することも可能である。したがって、後方給水口１６３を通じて供給される洗濯水は、タブ２００の後面に沿ってタブ２００の下部に供給することができる。
【０１３２】
したがって、図３に示された後方給水口１６３は、図示とは異なり、より一層タブの後方に位置してもよい。また、図示とは異なり、より一層傾斜するように形成してもよい。
【０１３３】
後方給水口１６３の位置及び洗濯水の供給方向は、前述したもの以外にも、様々な目的と効果を有するように意図されてもよい。これについての詳細な事項は後述する。
【０１３４】
図５は、本実施例に係る洗濯装置のブロック図である。
【０１３５】
洗濯装置の作動は、制御部８０５を通じて制御される。制御部８０５は、一般的にコントロールパネル８００（図６参照）の内部に備えることができる。コントロールパネルは、一般に、洗濯装置の上部に備えられ、使用者の操作及び状態の表示のために備えることができる。
【０１３６】
制御部８０５は、コントロールパネル８００に備えられるコース選択部８１０などのような各種ＵＩを通じて入力される信号に基づいて、洗濯装置の作動を制御することができる。すなわち、コース選択部８１０を通じて選択されるコース及びオプション選択部（図示せず）を通じて選択されるオプションに応じて、洗濯装置が作動するようになる。
【０１３７】
選択されたコース及びオプションに関する情報、時間情報、そして現在状態情報などは、制御部８０５の制御を通じてディスプレイ（図示せず）に表示することができる。
【０１３８】
制御部８０５は、第１給水弁１５１と第２給水弁１６１の駆動を制御することができる。給水弁１５１，１６１の制御を通じて、供給される洗濯水の量を制御することができる。また、制御部８０５は、これら給水弁の制御を通じて、洗濯水が給水される位置が変わるように制御することができる。
【０１３９】
制御部８０５は、洗濯ヒータ６００の駆動を制御することができる。したがって、洗濯ヒータ６００の過熱を防止することができ、洗濯水が所望の温度まで到達するように洗濯ヒータ６００を駆動させることができる。
【０１４０】
制御部８０５は、モータ７１０の駆動を制御することができる。したがって、モータ７１０の制御を通じて、モータの駆動時点とモータの駆動パターン（例えば、ドラムのタンブリング駆動、ドラムのスピン駆動、ドラムの脱水駆動など）を適切に行うことができる。
【０１４１】
タンブリング駆動は、ドラムの回転によりドラム内部の洗濯布が落下するドラム駆動のことを意味する。スピン駆動は、ドラムの高速回転によりドラム内部の洗濯布がドラムの内面に密着してドラムと共に回転するドラム駆動のことを意味する。したがって、スピン駆動でのドラムの回転速度は、タンブリング駆動でのドラムの回転速度よりは大きくなければならない。
【０１４２】
脱水駆動は、スピン駆動と類似するが、スピン駆動でのドラム回転速度よりは大きいことが好ましい。脱水駆動は、遠心力を通じて水分を除去するための駆動であるからである。
【０１４３】
制御部８０５は、排水ポンプ６２０の駆動を制御することができる。したがって、排水が必要な時点に排水を行うことができる。
【０１４４】
制御部８０５は、水位センサ６３０及び温度センサ６１０に常に信号接続されている。したがって、センサ６３０，６１０を通じて特定時点で所望の水位情報及び温度情報を受けることができる。
【０１４５】
制御部８０５は、水位センサ６３０から供給される水位情報に基づいて、給水弁１５１，１６１の駆動を制御することができる。したがって、目標とする水位まで洗濯水を供給することが可能となる。
【０１４６】
制御部８０５は、温度センサ６１０から供給される温度情報に基づいて、洗濯ヒータ６００の駆動を制御することができる。したがって、供給された洗濯水の温度を目標とする温度まで加熱することが可能となる。
【０１４７】
図５は、本実施例に係る洗濯装置のコントロールパネル８００に対する一例を示している。
【０１４８】
洗濯装置は、様々な洗濯布を洗濯するために、複数個の洗濯コースを選択して行うことができる。また、洗濯のみならず、機能性を提供するために複数個の洗濯コースを選択して行うことができる。したがって、使用者が複数個の洗濯コースのうち、所望の洗濯コースを容易に選択するようにすることが好ましい。
【０１４９】
本実施例に係る洗濯装置は、洗濯水を加熱する洗濯ヒータ６００を含むことができる。さらに、洗濯ヒータ６００を通じてスチームを発生させ、スチームをドラム３００の内部に供給することができる。具体的には、タブ２００の下部で発生するスチームを、ドラム３００の通孔３１０を通じてドラム３００の内部に供給することができる。
【０１５０】
洗濯ヒータ６００を通じたスチームの発生は、付加的なエネルギーの消耗を意味する。したがって、使用者が、スチームの使用有無を明確に把握できるようにすることが好ましい。そのために、本実施例では、スチームと関連して様々なコースを提供することができる。
【０１５１】
コース選択部８１０は、複数個のコースのうち、特定コースを選択するために設けることができる。
【０１５２】
複数個のコースは、ヒーティング可能コース８２０を含むことができる。すなわち、洗濯ヒータ６００を駆動できるコースを含むことができる。使用者がヒーティング可能コース６００のうちいずれか一つのコースを選択すると、選択されたコースが行われ得る。この場合、制御部８０５は、プログラミングされたところによって、洗濯装置がコースを行うように制御することができる。
【０１５３】
例えば、ヒーティング可能コース８２０は、一般（ｎｏｒｍａｌ）コースを含むことができる。使用者が一般コースのみを選択する場合、プログラミングされたところによって、洗い、すすぎ、そして脱水を有する一般コースが行われる。
【０１５４】
しかし、使用者は、ヒーティング可能コース８２０の選択と共に、洗濯ヒータ６００の使用をさらに選択することができる。すなわち、コースのオプションで洗濯ヒータ６００の駆動を選択することができる。
【０１５５】
このようなヒーティング可能コース８２０は、洗濯水の温度を上げるために洗濯ヒータ６００の駆動が自動的に行われたり、選択的に行われてもよい。すなわち、洗濯効率を高めるために、洗濯水の温度を上げることができる。
【０１５６】
一般に、このようなヒーティング可能コース８２０は、洗濯水温度オプションと並行することができる。一般コースを例に挙げて説明する。
【０１５７】
一般コースは、洗濯水の温度が摂氏４０度に自動的に設定されたコースであってもよい。この場合、冷水が外部給水源から供給されると、自動的に洗濯水を摂氏４０度までヒーティングする段階を行うことができる。反面、オプション選択で、洗濯水の温度を摂氏６０度に選択すると、洗濯水を摂氏６０度までヒーティングする段階を行うことができる。勿論、オプション選択で、洗濯水の温度を冷水（ｃｏｌｄ  ｗａｔｅｒまたはｔａｐ  ｗａｔｅｒ）で選択してもよい。この場合には、洗濯水ヒーティング過程を省略することができる。
【０１５８】
したがって、ヒーティング可能コース８２０は、洗濯効果を高めるために、洗濯水の温度を可変できるコースといえる。勿論、使用者が洗濯ヒータ６００の駆動を選択できるコースといえる。
【０１５９】
複数個のコースは、ヒーティング排除コース８４０を含むことができる。すなわち、洗濯ヒータ６００の駆動が排除されたり、または制限されるコースを含むことができる。ヒーティング排除コース８４０は、洗濯ヒータ６００の駆動が排除されたコースといえる。すなわち、コース自体でヒーティング段階が含まれないようにプログラミングされてもよい。
【０１６０】
このようなヒーティング排除コース８４０は、熱損傷の虞がある機能性衣類やウール衣類などのための洗濯コースや、迅速な洗濯のための快速コースなどを含むことができる。したがって、場合によって、洗濯ヒータ６００が摂氏３０度〜４０度までは洗濯水を加熱するように自動的に設定されてもよい。さらに、洗濯水の温度が、少なくても摂氏３０度〜４０度までは選択できるように設定されてもよい。勿論、洗濯ヒータ６００の駆動が完全に排除されてもよい。
【０１６１】
複数個のコースは、スチームコース８３０を含むことができる。すなわち、スチームが自動的に用いられるコースを含むことができる。すなわち、コース自体でスチーム段階が含まれるようにプログラミングされてもよい。図６には、アレルギーコース８３１及びリフレッシュコース８３２がスチームコース８３０の一例として示されている。
【０１６２】
使用者は、具体的に、ロータリーノブ８１５を回転させながら、所望の特定コースを選択することができる。特定コースが選択されると、洗濯装置がコースを自動的に行って終了する。ロータリーノブ８１５には点灯部８１６を設けることができ、点灯部８１６は、それぞれのコースと対応することができる。したがって、使用者は、ロータリーノブ８１５の回転によって順次点灯する点灯部８１６を通じて、どのコースを選択しているのか容易に把握することができる。
【０１６３】
そして、複数個のコースは、印刷された色によって直観的に区分することができる。例えば、スチームコース８３０は赤色で印刷して、高温のスチームを用いるコースであることを使用者が直観的に把握できるようにすることができる。
【０１６４】
ここで、本実施例に係る洗濯装置は、複数個の洗濯コースを、洗濯ヒータ６００が駆動されるか否かによって区分できることがわかる。
【０１６５】
まず、洗濯ヒータ６００の駆動が完全に排除されるヒーティング排除コースを備えることができる。また、洗濯ヒータ６００の駆動が選択可能な、または自動的に含まれるコースを備えることができる。
【０１６６】
洗濯ヒータ６００の駆動は、単純に洗濯ヒータ６００を駆動して洗濯水の温度を上げることができるヒーティング可能コースと、スチームコースとに分けることができる。ヒーティング可能コースとスチームコースとの差について説明する。
【０１６７】
ヒーティング可能コースでのヒーティング段階は、スチームコースでのスチーム段階と同様であってもよい。すなわち、ヒーティング段階とスチーム段階の両方において、同一の洗濯ヒータ６００を駆動することができる。しかし、ヒーティング段階とスチーム段階は、洗濯ヒータ６００が駆動される時の水位において根本的な差があり得る。
【０１６８】
図４に示されたように、タブ２００、ドラム３００、及び洗濯ヒータ６００の関係から、様々な水位を決定することができる。
【０１６９】
まず、水位が高くなるにつれて、洗濯ヒータ６００が完全に浸かるＡ水位、ドラムの底面までのＢ水位、及びドラムの内部まで洗濯水が貯水されるＣ水位があってもよい。
【０１７０】
水平軸洗濯機は、ドラムの駆動を通じて洗濯が行われる。それにも関わらず、洗濯布を洗濯水に濡らした状態でドラムが駆動されることが好ましい。したがって、洗い、すなわち、水を用いた洗濯では、ドラムの内部にまで洗濯水が貯水されることが好ましい。したがって、洗いのための水位は、少なくともＣ水位以上であることが好ましい。
【０１７１】
一方、洗濯を行うための洗濯布の量（布量）が多いほど、多い量の洗濯水が供給されることが好ましい。したがって、布量が増加するにつれて、供給される洗濯水の量が増加するようになる。これは、布量が増加するにつれて、洗濯水の水位はＣ水位よりも次第に高くなるということを意味する。
【０１７２】
基本的に、洗濯装置で洗濯を行うためには、布量決定段階が行われる。すなわち、コースが選択されて、コースが開始されると、布量を決定する段階が行われる。このとき、決定された布量によって、水洗い（本洗い）のための洗濯水の水位が決定される。したがって、決定された洗濯水位まで給水が行われ、給水完了後に、必要によって洗濯ヒータ６００を駆動して洗濯水の水温を上昇させる。給水完了後またはヒーティング完了後に、ドラムが駆動されながら本洗いが行われることが一般的である。
【０１７３】
したがって、ヒーティング段階は、ドラムの内部まで洗濯水位が形成された後に、洗濯ヒータが駆動される段階といえる。したがって、洗濯布の少なくとも一部は加熱される洗濯水に浸かるようになる。
【０１７４】
しかし、本実施例において、スチーム段階は、ヒーティング段階と明確に区分されることが好ましい。
【０１７５】
具体的に、スチーム段階での洗濯水の水位は、ヒーティング段階での水位よりも低いことが好ましい。
【０１７６】
図４に示されたように、スチーム段階での洗濯水の水位は、少なくともＢ水位よりは低く、Ａ水位よりは高いことが好ましい。言い換えると、加熱される洗濯水とドラムの内部に収容される洗濯布とが互いに接触しないように、洗濯水の水位が設定されることが好ましい。また、洗濯ヒータ６００が空気中に露出しないように洗濯水の水位が設定されることが好ましい。
【０１７７】
また、スチーム段階での洗濯水の水位は、水洗いを行う本洗いの水位よりは常に低く設定されることが好ましい。すなわち、コースと布量に関係なく、スチーム段階での洗濯水の水位は、Ａ水位とＢ水位との間で決定することができ、本洗いの水位は、常にＢ水位よりは高く設定されることが好ましい。
【０１７８】
このようなヒーティング段階とスチーム段階との差によって、前述した複数個のコースは、次のように区分することができる。
【０１７９】
まず、スチーム段階が行われるコースまたは洗いコースをスチームコースといえる。そして、スチーム段階が排除されるコースまたは洗いコースをスチーム排除コースといえる。したがって、スチーム排除コースは、ヒーティング段階を含むことはできるが、スチーム段階が行われないコースといえる。
【０１８０】
スチームコースは、スチーム洗いコースとリフレッシュコースを含むことができる。スチーム洗いコースの一例が図６に示されたアレルギーケアコース８３１であり、また他の一例がリフレッシュコース８３２であってもよい。
【０１８１】
スチーム洗いコースは、スチーム段階、及び洗濯水を通じた水洗いが行われる本洗い段階を含むコースであってもよい。すなわち、コースの実行中にスチーム段階及び本洗い段階が行われるコースであってもよい。
【０１８２】
ここで、スチーム段階ではスチーム水位で洗濯ヒータ６００を駆動し、本洗い段階のためには本洗い水位で洗濯ヒータ６００を駆動することができる。すなわち、本洗い段階のためにはヒーティング段階を行うことができる。勿論、スチーム段階とヒーティング段階との差は、前述したように洗濯水の水位と関連することができる。
【０１８３】
スチームコースは、スチーム段階を含み、本洗い段階が排除されるコースであってもよい。すなわち、コースの実行中に本洗い水位での本洗いが行われないコースであってもよい。具体的には、スチームを通じて洗濯布や洗濯物をリフレッシュするリフレッシュコースを含むことができる。
【０１８４】
以下では、図７及び図８を参照して、リフレッシュコースについて詳細に説明する。リフレッシュコースを通じてスチーム段階について詳細に説明することができる。
【０１８５】
図６に示されたように、コース選択部８１０を通じて複数個のコースのいずれか一つが選択され得る。コース選択部８１０を通じて、リフレッシュコース８３２が選択されると、リフレッシュコースを行うことができる。
【０１８６】
リフレッシュコースを行うために、一定時間ｔ0の間に、タブ２００の内部の洗濯水を排水することができる（Ｓ１）。そして、スチーム段階を行うために、洗濯水を一定時間ｔ1の間に給水することができる。これを、スチーム給水段階（Ｓ２）といえる。
【０１８７】
前述したように、スチーム給水段階（Ｓ２）での給水は、スチーム水位まで行われる。したがって、水位センサ６３０がスチーム水位をセンシングするまで、スチーム給水段階（Ｓ２）を行うことができる。したがって、スチーム給水段階（Ｓ２）での一定時間ｔ1は、許容される期間を示すことができる。すなわち、最大に許容される給水期間といえる。これは、水圧の変動を勘案して決定することができ、一定時間ｔ1は、約２分程度に設定することができる。これは、最大２分まで給水を行うことができるということを意味する。ほとんどの場合、２分が経過する前に水位センサ６３０がスチーム水位をセンシングするので、給水は２分が経過する前に終了することができる。
【０１８８】
ここで、スチーム給水段階（Ｓ２）での給水は、一般的な洗濯コースでの給水とは異なるように行われることが好ましい。すなわち、リフレッシュコースでのスチーム段階を行うための給水は、スチーム排除コースでの給水とは異なるように行われることが好ましい。
【０１８９】
具体的に、制御部８０５は、リフレッシュコース８３２が選択されると、第２給水弁１６１が開放されるように制御して、第２洗濯水流路１６０を通じて洗濯水がタブ内に流入するように制御することが好ましい。言い換えると、給水される洗濯水がドラムの内部の洗濯布に当たらないように制御することが好ましい。
【０１９０】
リフレッシュコースは、水洗いを行わずに、乾いた洗濯布をリフレッシュするためのコースといえる。例えば、一度着用したシャツなどのような洗濯布を、水洗いせずにリフレッシュするためのコースといえる。したがって、洗濯布において、水洗いなしにシワや臭いを相対的に簡単で速い時間内にリフレッシュするコースといえる。
【０１９１】
このような理由で、リフレッシュコースを行うためには、洗濯布が洗濯水に濡れないようにすることが非常に好ましい。一旦洗濯布が洗濯水に濡れると、別途の時間の間に乾燥を行わなければならないからである。すなわち、洗濯布の着用を可能にするためには、乾燥機を通じた乾燥や自然乾燥が必ず先行しなければならない。
【０１９２】
前述したように、リフレッシュコースは、コースの終了後、リフレッシュされたシャツなどを直ちに着用できるように提供することが好ましい。したがって、第２洗濯水流路１６０を通じた給水が非常に好ましいといえる。
【０１９３】
一方、第２洗濯水流路１６０は、洗剤ボックス１５３とは関係のない流路といえる。したがって、第２洗濯水流路１６０を通じて常に水道の水のようなきれいな水を供給することができる。反面、第１洗濯水流路１５０は洗剤ボックス１５３を含む。そのため、第１洗濯水流路１５０上には洗剤カスなどが残っていることがある。このような洗剤カスが水洗いでは大きな問題を起こさない。相対的に多い量の洗濯水を通じた水洗いが行われるからである。
【０１９４】
しかし、第２洗濯水流路１６０は、このような洗剤カスなどとは関係がない。したがって、洗剤カスなどがタブの内部に流入しない。
【０１９５】
理論的には、第２洗濯水流路１６０を通じて流入する全ての洗濯水と洗濯布との接触が完全に遮断されるのは難しい。なぜなら、供給される洗濯水がタブ２００とぶつかって小さな水滴がドラムの内部に流入する可能性も排除できないからである。
【０１９６】
この場合、水洗いのないリフレッシュコースで洗剤カスが洗濯布に流入することは非常に好ましくない。コースの終了後に洗濯布に洗剤カスが残留することがあるからである。
【０１９７】
そのため、前述したように、リフレッシュコースでの洗濯水の給水は、第２洗濯水流路１６０を通じて行われることが好ましい。これを通じて、純粋に水のみをタブの内部に供給することができる。したがって、もしかして洗剤カスなどのような汚染物が洗濯布に伝達されることを未然に防止できるようになる。
【０１９８】
スチーム給水（Ｓ２）が完了すると、スチーム段階（Ｓ３）が行われることが好ましい。
【０１９９】
スチーム段階（Ｓ３）は、スチーム水位で洗濯ヒータ６００を駆動してスチームを発生させる段階といえる。さらに、スチームの発生と、スチームをドラム３００の内部の洗濯布に伝達する過程を同時に行うことができる段階といえる。
【０２００】
スチーム段階（Ｓ３）において、洗濯ヒータ６００の駆動は断続的であってもよい。しかし、水温上昇だけでなく気化のためには多くのエネルギーの消耗が発生し得る。したがって、スチーム段階（Ｓ３）で洗濯ヒータ６００は連続的に駆動されることが好ましい。これを通じて、スチーム段階（Ｓ３）では持続的にスチームが発生することができる。
【０２０１】
ここで、スチーム段階（Ｓ３）に必要とされる時間は可変可能である。スチーム発生のための洗濯水の量（水位と関連）、洗濯ヒータ６００の容量及び設定温度によって、スチーム段階（Ｓ３）に必要とされる時間が変わることがあるからである。
【０２０２】
さらに、スチーム段階（Ｓ３）において洗濯ヒータ６００の過熱を防止しなければならない。これは、洗濯ヒータ６００が空気中に露出された状態で駆動されることを防止する必要があることを意味する。
【０２０３】
したがって、本実施例によれば、スチーム段階（Ｓ３）での洗濯ヒータ６００の駆動時間は、可変されるように制御することが好ましい。すなわち、洗濯ヒータ６００の駆動時点から、駆動が連続的に行われて停止するまでの時間区間は、可変されるように制御することが好ましい。さらに、時間区間の最大許容値は予め設定されることが好ましい。言い換えると、時間区間は可変できるが、最大に許容可能な値は予め設定されることが好ましい。このような、最大許容値は、洗濯ヒータ６００の容量及びスチーム水位での洗濯水の量を考慮して決定することができる。
【０２０４】
まず、スチーム段階（Ｓ３）は、洗濯ヒータ６００の制御の観点から見ると、温度制御区間と時間制御区間を含むことができる。このような温度制御区間に必要とされる時間ｔ2と時間制御区間に必要とされる時間ｔ3との和が、スチーム段階に必要とされる時間ｔ4といえる。
【０２０５】
ここで、時間制御区間は、設定された時間の間に、ヒータが駆動を維持する時間ｔ3といえる。そして、時間ｔ3は、予め設定された時間であってもよい。
【０２０６】
しかし、時間制御区間の所要時間ｔ3は、最大に許容する時間として予め設定されてもよい。すなわち、温度制御区間に必要とされる時間ｔ2に応じて可変できる上、最大許容される時間として予め設定されてもよい。したがって、スチーム段階に必要とされる可変時間ｔ4は、実質的にｔ2とｔ3によって可変されるといえる。
【０２０７】
具体的に、温度制御区間は、予め設定された温度Ｔ1まで、洗濯ヒータ６００が連続的に駆動される区間といえる。したがって、目標温度は固定値といえるが、目標に到達するまでの時間は可変されざるを得ない。洗濯水の量の偏差、ヒータに印加される電圧の偏差、初期洗濯水の温度偏差、そして洗濯布の偏差などの要因があり得るからである。
【０２０８】
また、予め設定された温度Ｔ1は、水の沸騰点が摂氏１００度未満に設定されることが好ましい。これは、温度制御区間の以降にも持続的に洗濯ヒータ６００が駆動される時間制御区間が行われるからである。すなわち、洗濯水が過熱されることを防止する一方、スチーム発生時間を十分に保障するためである。
【０２０９】
図８に示されたように、スチーム段階（Ｓ３）で洗濯ヒータ６００が駆動を開始すると、洗濯水の温度は次第に上昇する。洗濯水の温度は、沸騰点が摂氏１００度に近接する時、温度の上昇勾配が可変する地点が存在する。
【０２１０】
洗濯装置の加熱環境での実験結果、摂氏９５度程度で洗濯水の温度上昇勾配が緩やかになることを確認することができる。これは、加熱熱量の多くの部分が気化熱として用いられるので温度の上昇勾配が緩やかになることであると考えられる。
【０２１１】
したがって、本実施例では、温度制御区間の温度Ｔ1を約摂氏９５度に予め設定することができる。このような温度制御区間は、温度センサ６１０が予め設定された温度Ｔ1をセンシングするまで行うことができ、このときに必要とされる時間をｔ2とすることができる。したがって、ｔ2は可変される時間といえる。
【０２１２】
予め設定された温度Ｔ1は、洗濯ヒータ６００に隣接して備えられる温度センサ６１０を通じてセンシングされることが好ましい。すなわち、発熱地点と非常に近接した位置での温度をセンシングするように温度センサ６１０が備えられることが好ましい。図４では、洗濯ヒータ６００の一側に備えられる温度センサ６１０の一例が示されている。
【０２１３】
したがって、温度センサ６１０は、洗濯ヒータ６００の温度を直接センシングするものではなく、洗濯ヒータ６００を通じて加熱される洗濯水の温度を非常に迅速にセンシングすることができる。
【０２１４】
一方、温度制御区間が終了すると、時間制御区間が行われる。勿論、洗濯ヒータ６００は持続的に駆動される。言い換えると、温度制御区間が終了すると、予め設定された時間ｔ3の間に、ヒータの駆動が持続されるといえる。勿論、ｔ3は固定された値といえる。
【０２１５】
予め設定された時間ｔ3は、洗濯水または洗濯ヒータ６００の過熱、洗濯水の量、及びスチーム発生時間を考慮して、適切に設定することができる。
【０２１６】
本発明の発明者は、実験を通じて、時間制御に必要とされる時間は約２分３０秒に予め設定することが好ましいことがわかった。このような時間制御を行えば、洗濯水温度の最大上昇が摂氏１０３度未満に制御可能であることがわかった。
【０２１７】
勿論、これは、前述した温度制御区間での予め設定された温度Ｔ1との関係によって変更可能である。Ｔ1が小さくなるほどｔ2は大きくなることが好ましいからである。
【０２１８】
結局、スチーム段階（Ｓ３）を、温度制御区間と、以降に連続的に行われる時間制御区間とで行うことによって、過熱防止及び十分なスチーム発生時間を保障することができる。
【０２１９】
前述したスチーム段階での温度制御区間と時間制御区間を一例として説明すると、次の通りである。
【０２２０】
温度制御区間は７分間持続することができる。ここで、７分は可変される時間といえる。その後、固定された時間である２分３０秒間、時間制御区間が持続することができる。したがって、スチーム段階は、９分３０秒間行われるといえる。
【０２２１】
一方、温度制御区間は８分間持続することができる。その後、時間制御区間が持続することができる。しかし、この場合には、固定された時間である２分３０秒ではなく、２分間、時間制御区間が持続することができる。したがって、時間制御に必要とされる時間は、温度制御区間に必要とされる時間に応じて可変制御されるといえる。そして、許容する最大値は、固定であることが好ましい。一例として、２分３０秒が、許容する最大値であってもよい。
【０２２２】
すなわち、時間制御区間の所要時間の最大許容値が定められることによって、スチーム段階での最大許容値を定めることができる。一例として、スチーム段階での最大許容値は１０分であってもよい。前述したように、温度制御区間が７分間行われれば、結局、スチーム段階は９分３０秒間行われるといえる。
【０２２３】
したがって、温度制御と時間制御を順次行うので、洗濯ヒータや洗濯水の過熱を防止することができる。また、スチーム発生時間を十分に保障することができる。さらに、時間制御区間に対して最大許容値が予め設定されるので、全体的にスチーム段階に必要とされる最大許容値も予め設定される。したがって、スチーム段階に必要とされる時間がさらに増加しない。
【０２２４】
例えば、時間制御が行われない場合、特定環境では、スチーム段階に必要とされる時間が過度に長くなる虞がある。例えば、過多な洗濯水の量、非常に低い洗濯水の初期温度、低い外部電圧、非常に寒い外部環境、そして過多な布量という極端な環境を仮定することができる。この場合には、スチーム段階で必要とされる時間が１０分以上になることがある。
【０２２５】
前述したように、リフレッシュコースは、短い時間の間に洗濯布をリフレッシュするコースといえる。したがって、リフレッシュコース全体に必要とされる時間は、予め設定されることが好ましい。そのため、極端な環境でも、予め設定された時間よりも長い時間の間に、リフレッシュコースが行われることは好ましくない。
【０２２６】
このような理由で、スチーム段階で必要とされる時間の最大許容値は、予め設定されることが好ましい。そして、このような最大許容値内で、温度制御区間に必要とされる時間を考慮して、時間制御区間に必要とされる時間を可変することが好ましい。勿論、時間制御区間に必要とされる時間の最大許容値も予め設定されることが好ましい。
【０２２７】
したがって、場合によっては、時間制御区間を省略することができ、最大許容値よりも非常に短い時間の間のみ、時間制御区間が行われてもよい。勿論、最大許容値の間に、時間制御区間が行われてもよい。
【０２２８】
スチーム段階（Ｓ３）では、ドラム３００がタンブリング駆動されるように制御することが好ましい。すなわち、撹拌段階が行われることが好ましい。
【０２２９】
このようなタンブリング駆動は、発生されるスチームが効果的に洗濯布に伝達されるようにするためである。そして、タンブリング駆動は、ドラム３００の内部だけでなく、タブ２００の内部の環境を全体的にスチーム環境に作るためのものである。したがって、タンブリング駆動を通じて、タブ内部やドラム内部の一部区域にのみスチームが集中せずに均一に拡散し得る。同様に、タンブリング駆動を通じて、洗濯布の特定部位ではなく、全体的にスチームを供給できるようになる。
【０２３０】
このようなスチーム段階（Ｓ３）を通じて、洗濯布は高温多湿な環境に露出される。高温多湿な環境を通じて、臭い分子を除去することができる。また、高温多湿な環境を通じて、洗濯布のシワを除去することができる。勿論、スチーム段階では、液体状態の水ではなく、スチーム状態の水が洗濯布に供給されるので、同一の量でも、非常に広範囲な領域まで水分を供給できるようになる。
【０２３１】
スチーム段階（Ｓ３）が終了すると、リフレッシュ段階（Ｓ４）が行われることが好ましい。すなわち、スチーム段階（Ｓ３）とリフレッシュ段階（Ｓ４）が順次行われることが好ましい。制御部８０５は、予め設定されたプログラムに応じて、スチーム段階（Ｓ３）とリフレッシュ段階（Ｓ４）が順次行われるように制御することができる。
【０２３２】
リフレッシュ段階（Ｓ４）は、スチームを通じた含湿量をさらに高めるための段階といえる。さらに、スチーム環境で洗濯布に均一にスチームを供給するための段階といえる。
【０２３３】
また、リフレッシュ段階（Ｓ４）は、ドラム３００やタブ２００の内部の温度を次第に下降させる段階といえる。したがって、リフレッシュ段階（Ｓ４）でも同様に、ドラムが駆動されることが好ましい。
【０２３４】
一般に、タンブリング駆動は、ドラムの底面から洗濯布がドラムに沿って上昇した後、落下するようにするドラム駆動を意味する。したがって、一定の部分、洗濯布が畳まれるようになる。勿論、タンブリング駆動を通じて洗濯布が流動して、外部に露出される面が変更され得る。
【０２３５】
しかし、スチーム段階（Ｓ３）でのスチームは、高圧で洗濯布に直接噴射される形態ではない。言い換えると、スチーム環境で、洗濯布がスチームを吸収する形態といえる。したがって、洗濯布の表面積が均一に、また可能な限り外部のスチーム環境に露出されるようにすることが好ましい。
【０２３６】
さらに、シワ除去のためには、洗濯布に一定の張力を加えることがより効果的である。言い換えると、シワ部分に水分を供給して両方から引っ張ると、より効果的にシワを除去することができる。
【０２３７】
したがって、より効果的に洗濯布に均一にスチームを供給し、より効果的に洗濯布のシワを除去するために、リフレッシュ段階（Ｓ４）でのドラム駆動は、スピン駆動を含むことが好ましい。
【０２３８】
スピン駆動は、タンブリング駆動に比べてドラム３００の回転数が相対的に高い。すなわち、洗濯布が重力に勝てるようにドラム３００を回転させる駆動を意味する。一般的には、８０ＲＭＰ程度の回転数を通じてこのようなスピン駆動を具現することができる。
【０２３９】
スピン駆動では、洗濯布がドラムの内壁に密着してドラムと一体に回転するようになる。したがって、ドラムの回転を通じて洗濯布に引張力を加えることができる。また、ドラムの通孔３１０を通じてタブにあるスチームと接することができる。そして、ドラム内部のスチームを流動させて、スチームがより円滑に洗濯布に供給されるようにすることができる。
【０２４０】
すなわち、スピン駆動を通じて洗濯布が拡がり得るので、スチームとの接触面積が増加することができる。また、洗濯布に引張力を加えることができるので、シワ除去の効果がより増加することができる。
【０２４１】
一方、本発明者は、リフレッシュ段階（Ｓ４）におけるスピン駆動は、タンブリング駆動と共に行われることがより好ましいということがわかった。これは、タンブリング駆動が洗濯布の撹拌を通じて、洗濯布を裏返したり、外部表面を変更させる駆動であるからだと判断される。すなわち、特定部分だけでなく、洗濯布の全体的な外面がスチーム環境に露出されるようにする駆動であるからだと判断される。
【０２４２】
このような理由で、リフレッシュ段階（Ｓ４）でタンブリング駆動のみを行う場合を考えることができる。しかし、前述したように、スピン駆動によって、含水率の増加及びシワ除去の効果が上昇することができる。言い換えると、タンブリング駆動のみを行うことよりは、スピン駆動を追加することによって含水率の増加、すなわち、洗濯布が相対的に多い量の水分を吸収できるということがわかった。そして、シワ除去の効果も増進できることがわかった。
【０２４３】
したがって、リフレッシュ段階（Ｓ４）で、ドラムのタンブリング駆動区間とスピン駆動区間が交互に行われるようにすることが好ましい。すなわち、一定区間の間、タンブリング駆動が行われ、また一定区間の間、スピン駆動が行われることが好ましい。このようなタンブリング駆動区間とスピン駆動区間はそれぞれ複数回行うことができる。言い換えると、タンブリング駆動区間及びスピン駆動区間からなるドラム駆動サイクルは、複数回繰り返されることが好ましい。
【０２４４】
このようなドラム駆動の様々な制御を容易に具現するためには、ドラムを駆動する駆動装置は、図４とは異なり、直結式駆動装置であることが好ましい。直結式駆動装置は、当業界で一般的な事項であるから、詳細な説明は省略する。
【０２４５】
具体的には、タンブリング駆動区間に必要とされる時間が、スピン駆動区間に必要とされる時間よりも大きいことが好ましい。一例として、リフレッシュ段階（Ｓ４）において、タンブリング駆動区間に必要とされる全体時間は、スピン駆動区間に必要とされる全体時間よりも約１０倍以上長いことが好ましい。これは、スピン駆動時間が次第に長くなるにつれて、むしろシワが発生する虞があるからである。
【０２４６】
したがって、リフレッシュ段階（Ｓ４）は、タンブリング駆動から始まってタンブリング駆動で終了することが好ましい。さらに、スピン駆動は、相対的に非常に短い時間の間のみ、タンブリング駆動とタンブリング駆動との間に行われることが好ましい。
【０２４７】
前述したように、スピン駆動は、複数回行われることが好ましい。ここで、スピン駆動は、その時点によって性格が異なるといえる。まず、リフレッシュ段階（Ｓ４）の初期に行われるスピン駆動は、含湿率を高めるための駆動であるといえる。勿論、シワ除去のための駆動であるともいえる。初期にスピン駆動が行われる時には、高温多湿な環境であるからである。
【０２４８】
しかし、リフレッシュ段階（Ｓ４）の後半に行くほど、温度が下降し、湿度が低くならざるを得ない。これは、タブ２００の内部が完全に外部と密閉された構造ではないからである。したがって、リフレッシュ段階（Ｓ４）の後半に行くほど、ドラムやタブの内部の水分が減少するようになる。これは、洗濯布の含湿率も減少するということを意味する。
【０２４９】
したがって、リフレッシュ段階（Ｓ４）の後半でのスピン駆動は、洗濯布の含水率をむしろ減少させるように行われるといえる。すなわち、ドラムやタブの内部の空気流動を通じて、洗濯布から水分を除去するためのスピン駆動といえる。
【０２５０】
したがって、リフレッシュコースの終了後には、後続する乾燥過程を実質的に省略することができる。言い換えると、シャツのような洗濯布は、リフレッシュコースの終了後に直ちに着用することもできる。したがって、リフレッシュコースを非常に効果的に使用することが可能となる。
【０２５１】
一方、リフレッシュコース８３２は、一般的な水洗いコースとは性格が非常に異なる。すなわち、乾いた洗濯布を液状の水に濡らしていない状態で迅速に洗濯布をリフレッシュするコースである。
【０２５２】
したがって、洗濯装置の信頼性や使用者の満足感を高めるために、リフレッシュ段階（Ｓ４）でのスピン駆動は非常に効果的であるといえる。すなわち、一般的な洗濯でのタンブリング駆動と共にスピン駆動を繰り返すことによって、使用者は、リフレッシュ段階（Ｓ４）が行われることを視覚的に且つ直観的に把握することができる。使用者は、ドアに備えられる透明な窓を通じて、ドラムの内部で流動する洗濯布を外部で見られるからである。
【０２５３】
リフレッシュ段階（Ｓ４）は、予め設定された時間ｔ5の間に行うことができる。前述したように、全体的なリフレッシュコースの所要時間は、予め設定されることが好ましい。使用者は、リフレッシュコースの終了後に直ちに洗濯布を着用しようとすることがあるからである。したがって、リフレッシュ段階（Ｓ４）に必要とされる時間も予め設定されることが好ましい。
【０２５４】
このような予め設定された時間ｔ5に基づいて、前述したタンブリング駆動区間の回数、スピン駆動区間の回数、各駆動区間の所要時間、タンブリング駆動区間とスピン駆動区間との間の所要時間の差などを決定することができる。
【０２５５】
リフレッシュ段階（Ｓ４）を通じて、ドラムの内部の温度または洗濯水の温度は次第に下降するはずである。したがって、リフレッシュ段階（Ｓ４）が終了すると、排水（Ｓ５）を経てリフレッシュコースを終了（Ｓ６）することができる。排水（Ｓ５）に必要とされる時間ｔ6も予め設定することができる。
【０２５６】
前述したように、リフレッシュコースは、リフレッシュ段階（Ｓ４）の終了後、追加的な給水なしに終了することができる。そして、リフレッシュ段階（Ｓ４）は、約１５分乃至２０分間行うことができる。
【０２５７】
したがって、リフレッシュコースの終了後、ドラム３００の内部の温度や洗濯布の温度が高いことがある。そのため、リフレッシュコースの終了後、ドア４００を開放すると、使用者が熱気によって不便さを感じることがある。このような理由で、タブ２００やドラム３００の内部の温度を低くする冷却過程が必要となり得る。勿論、温度を下げる冷却段階は、常に行わなければならないことではない。布量または洗濯水の最高温度によって、冷却段階を必要としない場合もあるからである。
【０２５８】
本実施例によれば、リフレッシュ段階（Ｓ４）の終了後、必要に応じて冷却段階を行うことができる。
【０２５９】
すなわち、リフレッシュ段階（Ｓ４）と排水段階（Ｓ５）との間に冷却過程を行うことができる。このような冷却過程は、冷水を用いて強制的に洗濯水の温度及び洗濯機の内部雰囲気温度を低くする過程といえる。
【０２６０】
具体的に、リフレッシュ段階（Ｓ４）が終了すると、温度センサ６１０を通じて洗濯水の温度をセンシングすることができる。温度センサ６１０は、洗濯ヒータ６００に隣接して備えることができるので、タブ内の最高温度をセンシングすることができる。したがって、温度センサ６１０を通じてセンシングされる温度と予め設定された温度Ｔ2とを比較する段階を行うことができる。
【０２６１】
このような予め設定された温度は、例えば、約摂氏６０度であってもよい。
【０２６２】
センシングされた温度が予め設定された温度Ｔ2よりも低い場合には、前述したように、別途の冷却過程を行わずに、排水段階（Ｓ５）を行うことができる。しかし、センシングされた温度が予め設定された温度Ｔ2よりも高い場合には、冷却段階を行うことが好ましい。
【０２６３】
図９に示されたように、温度がセンシングされる区間は非常に短く行うことができ、このときの水位は変更されないはずである。実質的に、温度がセンシングされる区間での水位は、スチーム水位よりは低いはずである。すなわち、Ａ水位よりは低い。
【０２６４】
仮に、センシングされた温度が予め設定された温度Ｔ2よりも高い場合には、外部給水源を通じて冷水が給水されることが好ましい。すなわち、再給水が行われることが好ましい。
【０２６５】
この場合にもスチーム給水と同様に、第２洗濯水流路を通じて冷水が供給されることが好ましい。再給水もスチーム水位まで進行することができる。例えば、再給水水位もスチーム水位の一例であるＡ水位であってもよい。しかし、冷却をより迅速に行うために、追加給水水位はスチーム水位Ａよりは高いことが好ましい。すなわち、ドラムの最下部または底面に近接するＢ水位まで追加給水することができる。
【０２６６】
すなわち、追加給水水位は、スチーム水位よりは高いことが好ましい。同様に、追加給水水位は本洗い水位よりは低いことが好ましい。したがって、追加給水水位まで給水が行われても、洗濯布が洗濯水に濡れないようになる。なぜなら、洗濯水が再び加熱されないからである。
【０２６７】
これに反して、スチーム水位では洗濯水が加熱されるので、加熱による気泡の発生を考慮して、スチーム水位がＢ水位よりは低く設定されることが好ましい。
【０２６８】
このようなスチーム水位と追加給水水位との差によって、より多い量の洗濯水が洗濯布を濡らさないように給水され得る。これを通じて、より迅速にドラムの内部の温度を下降させることができる。
【０２６９】
ここで、前述したように、後方給水口１６３の位置と給水方向が重要であることがわかる。追加給水は、単純にタブの下部に貯水される洗濯水の温度を下げるためではなく、タブの内部とドラムの内部の温度を迅速に低くするために行うことができる。したがって、追加給水される洗濯水が外部と熱交換面積をできる限り高めることが好ましい。
【０２７０】
後方給水口１６３は、給水される洗濯水がタブ２００の後壁に沿って流れるように設けることができる。すなわち、給水される洗濯水がタブ２００の多くの面積と熱交換するようになる。したがって、より迅速な冷却が可能となる。
【０２７１】
追加給水が完了すると、設定された時間の間、例えば、２分ないし３分間、タンブリング駆動を行うことができる。タンブリング駆動を通じて、タブとドラムの内部の空気の流動が発生して、迅速な冷却が可能となる。
【０２７２】
タンブリング駆動の終了後、排水が行われ、リフレッシュコースが終了することができる。
【０２７３】
以上では、スチームコースの一例として、リフレッシュコースについて詳細に説明した。
【０２７４】
以下では、スチーム洗いコースについて詳細に説明する。
【０２７５】
図６には、スチーム洗いコースの一例として、アレルギーケアコース８３１が示されている。アレルギーケアコース８３１は、水洗いと共にスチーム段階が行われるコースといえる。水洗いが行われる本洗いのための給水、すなわち、本洗い水位までの給水は、第１洗濯水流路１５０を通じて行われることが好ましい。言い換えると、コースの初期から洗濯水と洗剤で洗濯布を濡らすことにより、洗濯効果を増進させることができる。
【０２７６】
アレルギーケアコース８３１でのスチーム段階は、本洗いの前に行うことができる。したがって、スチーム水位までの給水、及びスチーム段階の終了後に追加給水を行うことができる。ここでの追加給水は、本洗い水位までの給水を意味することができる。
【０２７７】
アレルギーケアコース８３１でのスチーム段階を行うための給水は、リフレッシュコースと同様に、第２洗濯水流路１６０を通じて行うことができる。しかし、アレルギーケアコース８３１は、水洗いを含むので、第１洗濯水流路１５０を通じて洗濯水を給水することがより好ましい。
【０２７８】
すなわち、スチーム水位まで、洗濯水と洗剤を第１洗濯水流路１５０を通じて供給することが好ましい。したがって、初期から洗濯水と洗剤を洗濯布に供給することができる。その後、スチーム段階を行うことによって、スチームを洗濯布に供給することができる。
【０２７９】
アレルギーケアコース８３１では、少なくとも一部の洗濯布が洗濯水と洗剤に濡らされた後、スチーム段階が行われるといえる。したがって、スチーム段階を通じて、汚れと洗濯布の浮かし及び洗剤の浮かしがより活発に行われ得る。
【０２８０】
したがって、水洗いが行われるスチーム洗いコースでは、常に第１洗濯水流路１５０を通じて洗濯水が供給されることが好ましい。反面、水洗いが排除されるスチームコースでは、常に第２洗濯水流路１６０を通じて洗濯水が供給されることが好ましい。
【０２８１】
言い換えると、スチーム段階が行われるコースといっても、水洗いが行われるか否かによって洗濯水が給水される流路が変わるといえる。また、同一のスチーム段階を行うための洗濯水の給水といっても、選択されたコースに応じて、洗濯水が給水される流路が変わることが好ましい。
【０２８２】
具体的に、水を用いる本洗いのための給水は、選択されたコースと関係なく、第１洗濯水流路１５０を通じて行われることが好ましい。そして、スチーム段階を行うための給水は、常に第２洗濯水流路１６０を通じて行われてもよく、コースに応じて第１洗濯水流路を通じて行われてもよい。
【０２８３】
例えば、水洗い段階とスチーム段階が含まれるコースでは、スチーム段階を行うための給水は、第１洗濯水流路１５０を通じて行われることが好ましい。しかし、水洗いが排除され、スチーム段階のみが含まれるコースでは、スチーム段階を行うための給水は、第２洗濯水流路１６０を通じて行われることが好ましい。
【０２８４】
したがって、本実施例に係る洗濯装置の制御部８０５は、コース選択部８１０を通じて選択されたコースに応じて、第１洗濯水流路１５０と第２洗濯水流路１６０を択一的に開放するように制御するといえる。特定流路の選択は、それぞれの給水弁１５１，１６１を択一的に開放するように制御することによって行うことができる。
【０２８５】
具体的に、本洗い水位まで洗濯水を供給して水洗いを行う水洗いコース（スチーム洗いコース、ヒーティング可能コース、及びヒーティング排除コースを含む）は、常に第１洗濯水流路１５０を通じて洗濯水が給水されるように制御することができる。これを通じて、初期から洗濯布に洗濯水と洗剤を供給して迅速な布濡らし、及びこれを通じた洗濯効果の増進を期待することができる。ここで、本洗い水位は、選択されるコース及び洗濯布の量とは関係なく、常に前述したスチーム水位よりは高いことが好ましい。
【０２８６】
本発明の属する技術分野における通常の知識を有する者は、本発明がその技術的思想や必須の特徴を変更せずに他の具体的な形態で実施できるということを理解できるはずである。したがって、以上記述した実施例は、すべての面で例示的なものであり、限定的なものではないと理解しなければならない。本発明の範囲は、上記詳細な説明よりは、後述する特許請求の範囲によって示され、特許請求の範囲の意味及び範囲、そしてその等価概念から導かれる全ての変更又は変形された形態が本発明の範囲に属するものと解さねばならない。
【符号の説明】
【０２８７】
１５０    第１洗濯水流路
１５１    第１給水弁
１５２    第１給水ホース
１５３    洗剤ボックス
１５４    第１供給ホース
１６０    第２洗濯水流路
１６１    第２給水弁
１６２    第２供給ホース
１６３    後方給水口
２００    タブ
３００    ドラム
３１０    通孔
６００    洗濯ヒータ
６１０    温度センサ
６３０    水位センサ
８００    コントロールパネル
８０５    制御部
８１０    コース選択部
８２０    ヒーティング可能コース（水洗いコース）
８３０    スチームコース
８３１    スチーム洗いコース（アレルギーケアコース）
８３２    リフレッシュコース
８４０    ヒーティング排除コース（水洗いコース）
【図１】
2014151188.tif 000003
【図２】
2014151188.tif 000004
【図３】
2014151188.tif 000005
【図４】
2014151188.tif 000006
【図５】
2014151188.tif 000007
【図６】
2014151188.tif 000008
【図７】
2014151188.tif 000009
【図８】
2014151188.tif 000010
【図９】
2014151188.tif 000011